(57)【要約】【課題】記録ヘッドごとに光沢感が異なることに伴う画質低下を抑えることができるインクジェット記録装置及びその濃度補正方法を提供する。【解決手段】テストチャートの濃度を読み取って得た複数の記録ヘッドの濃度情報から、複数の記録ヘッドのそれぞれの駆動条件を算出し、当該駆動条件を複数の記録ヘッドに設定する第１の濃度補正を行う（ステップＳ１３）。そして、第１の濃度補正を行った後、再度記録部によって印画されたテストチャートの濃度を読み取って得た濃度情報から濃度ムラ補正値を算出し、当該濃度ムラ補正値を基に画像データに対して補正を行う第２の濃度補正（ステップＳ１７）を行う。【選択図】図６
2019081344.tif 000002
【特許請求の範囲】
【請求項１】
複数の記録ヘッドの各複数のノズルからインク液滴を吐出して記録媒体に印画を行う記録部と、
前記記録部によって前記記録媒体に印画された濃度測定用のテストチャートの濃度を読み取る画像読取部と、
前記画像読取部の読取結果に基づいて濃度補正の制御を行う制御部と、
を備え、
前記制御部は、
前記テストチャートを前記画像読取部が読み取って得た前記複数の記録ヘッドの濃度情報を基に、前記複数の記録ヘッドのそれぞれの駆動条件を算出し、当該駆動条件を前記複数の記録ヘッドに設定する第１の濃度補正の機能と、
前記第１の濃度補正を行った後、再度前記記録部によって印画された前記テストチャートを前記画像読取部が読み取って得た濃度情報を基に濃度ムラ補正値を算出し、当該濃度ムラ補正値を基に画像データに対して補正を行う第２の濃度補正の機能と、
を有することを特徴とするインクジェット記録装置。
【請求項２】
前記記録ヘッド内の同一の駆動条件を設定するノズル群ごとに前記テストチャートを印画し、
前記制御部は、前記第１の濃度補正により、前記ノズル群ごとの前記テストチャートの平均濃度に基づいて前記駆動条件を設定する
ことを特徴とする請求項１に記載のインクジェット記録装置。
【請求項３】
前記制御部は、前記ノズル群ごとの前記テストチャートの平均濃度が、前記記録ヘッド内のノズル群ごとに揃うように前記駆動条件を設定する
ことを特徴とする請求項２に記載のインクジェット記録装置。
【請求項４】
前記画像読取部のノズル列に沿う方向の読取解像度は、前記記録ヘッドの記録解像度よりも低く設定されている
ことを特徴とする請求項１〜３のいずれか１項に記載のインクジェット記録装置。
【請求項５】
前記濃度測定用のテストチャートは、グレースケールのテストチャートである
ことを特徴とする請求項１〜４のいずれか１項に記載のインクジェット記録装置。
【請求項６】
複数の記録ヘッドの各複数のノズルからインク液滴を吐出して記録媒体に印画を行う記録部と、
前記記録部によって前記記録媒体に印画された濃度測定用のテストチャートの濃度を読み取る画像読取部と、
を備え、前記画像読取部の読取結果に基づいて濃度補正を行うインクジェット記録装置において、
前記テストチャートを前記画像読取部が読み取って得た前記複数の記録ヘッドの濃度情報を基に、前記複数の記録ヘッドのそれぞれの駆動条件を算出し、当該駆動条件を前記複数の記録ヘッドに設定する第１の濃度補正を行い、
前記第１の濃度補正を行った後、再度前記記録部によって印画された前記テストチャートを前記読取部が読み取って得た濃度情報を基に濃度ムラ補正値を算出し、当該濃度ムラ補正値を基に画像データに対して補正を行う第２の濃度補正を行う
ことを特徴とするインクジェット記録装置の濃度補正方法。
【発明の詳細な説明】
【技術分野】
【０００１】
本発明は、インクジェット記録装置及びインクジェット記録装置の濃度補正方法に関する。
【背景技術】
【０００２】
複数のノズルを有する記録ヘッドと記録媒体とを相対移動させながら、複数のノズルからインク液滴を吐出（射出）させ、用紙等の記録媒体上に着弾させることによって画像を形成するインクジェット方式の画像形成装置、即ちインクジェット記録装置がある。この種のインクジェット記録装置では、記録速度の向上を目的として、記録ヘッドを複数、上記相対移動の方向と交差する方向に配列して長尺のヘッドユニットを構成し、当該長尺のヘッドユニットによって画像を形成する技術が用いられている。
【０００３】
インクジェット記録装置では、記録ヘッドの複数のノズル間でインク液滴の吐出量にばらつきがあると、記録媒体に形成した画像（以下、「形成画像」と記述する場合がある）に濃度ムラが生じるため、形成画像の画質低下に繋がる。また、記録ヘッドの数が複数になると、記録ヘッドごとにインク液滴の吐出量のばらつきが生じることがあり、記録ヘッドごとの吐出量のばらつきによっても、形成画像に濃度ムラが生じ、画質低下に繋がる。このため、インクジェット記録装置では、濃度補正を行うことによって濃度ムラに起因する画質低下を抑制するようにしている。
【０００４】
例えば、テストパターンを印画し、ノズル列に沿う方向の濃度の変動を読み取った結果を、ノズル単位あるいはヘッド単位で、記録ヘッドの駆動電圧に帰還をかけ、ドット（画像を形成する単位）の大きさを変えることによって、濃度ムラに起因する画質低下を抑制するようにしている（例えば、特許文献１参照）。また、濃度ムラの測定が可能なテストパターンを印画し、それを読み取った結果を、画像データに帰還をかけ、単位面積あたりのドット数を変えることによって、濃度ムラに起因する画質低下を抑制するようにしている（例えば、特許文献２参照）。
【０００５】
上記の従来技術のうち、前者の技術、即ち記録ヘッドの駆動電圧に帰還をかけ、ドットの大きさ（ドット径）を変える技術は、ＡＭ（Amplitude Modulation）スクリーニングと呼ばれる技術である。また、後者の技術、即ち画像データに帰還をかけ、単位面積あたりのドット数を変える技術は、ＦＭ（Frequency Modulation）スクリーニングと呼ばれる技術である。
【先行技術文献】
【特許文献】
【０００６】
【特許文献１】特開２００６−１５９５４９号公報
【特許文献２】特開２０１０−８３００７号公報
【発明の概要】
【発明が解決しようとする課題】
【０００７】
ところで、複数のノズルからのインク液滴の吐出速度（射出速度）が一定になるような記録ヘッドの駆動電圧を予め測定しておく場合、記録ヘッドをインクジェット記録装置に搭載し、実際に使用するインクを用いて実際の使用環境に合わせた状態でインク液滴の吐出速度を測定することはできない。そのため、駆動電圧の測定に際しては、所定の粘度の液体を用いて所定の温度管理下で、射出測定器に測定対象の記録ヘッドを装着し、吐出速度の測定を行うことになる。
【０００８】
つまり、記録ヘッドの工場出荷時に、各記録ヘッドの感度電圧という形で駆動電圧の測定が行われる。したがって、実際に使用するインク、記録媒体、インクジェット記録装置での管理下では、測定された駆動電圧を各記録ヘッドに設定しても、同一グレースケールのテストチャートを印画した場合、同一濃度になるとは限らない。さらに、記録ヘッドごとに上記のように濃度が異なる状態でグレースケールのテストチャートを印画し、濃度が一定になるような補正を印画データに行ったとしても、濃度値としては同じでも光沢感が異なるという現象が生じる。
【０００９】
このように、従来の技術では、濃度値としては一定にできても、記録ヘッドごとに光沢感が異なる画像形成が行われるため、形成画像の画質を低下させていた。
【００１０】
そこで、本発明は、記録ヘッドごとに光沢感が異なることに伴う画質低下を抑えることができるインクジェット記録装置及びインクジェット記録装置の濃度補正方法を提供することを目的とする。
【課題を解決するための手段】
【００１１】
上記目的を達成するために、本発明のインクジェット記録装置は、
複数の記録ヘッドの各複数のノズルからインク液滴を吐出して記録媒体に印画を行う記録部と、
記録部によって記録媒体に印画された濃度測定用のテストチャートの濃度を読み取る画像読取部と、
画像読取部の読取結果に基づいて濃度補正の制御を行う制御部と、
を備える。そして、
制御部は、
テストチャートを画像読取部が読み取って得た複数の記録ヘッドの濃度情報を基に、複数の記録ヘッドのそれぞれの駆動条件を算出し、当該駆動条件を複数の記録ヘッドに設定する第１の濃度補正の機能と、
第１の濃度補正を行った後、再度記録部によって印画されたテストチャートを画像読取部が読み取って得た濃度情報を基に濃度ムラ補正値を算出し、当該濃度ムラ補正値を基に画像データに対して補正を行う第２の濃度補正の機能と、
を有することを特徴とする。
【００１２】
また、本発明のインクジェット記録装置の濃度補正方法は、
複数の記録ヘッドの各複数のノズルからインク液滴を吐出して記録媒体に印画を行う記録部と、
記録部によって記録媒体に印画された濃度測定用のテストチャートの濃度を読み取る画像読取部と、
を備え、画像読取部の読取結果に基づいて濃度補正を行うインクジェット記録装置において、
テストチャートを画像読取部が読み取って得た複数の記録ヘッドの濃度情報を基に、複数の記録ヘッドのそれぞれの駆動条件を算出し、当該駆動条件を複数の記録ヘッドに設定する第１の濃度補正を行い、
第１の濃度補正を行った後、再度画像記録部によって印画されたテストチャートを読取部が読み取って得た濃度情報を基に濃度ムラ補正値を算出し、当該濃度ムラ補正値を基に画像データに対して補正を行う第２の濃度補正を行う
ことを特徴とする。
【００１３】
第１の濃度補正の動作により、記録ヘッドの駆動条件を変えることによってドット径を調整して濃度が全体的に同じになるように補正を行い、しかる後、第２の濃度補正の動作により、画像データを補正することによってドット率を調整する。これにより、記録ヘッドごとに光沢感が異なる光沢ムラを改善できる。
【発明の効果】
【００１４】
本発明によれば、記録ヘッドごとに光沢感が異なる光沢ムラを改善し、当該光沢ムラに伴う画質低下を抑えることができるため、記録媒体に形成した画像の高画質化と自然な光沢感の両立を図ることができる。
【図面の簡単な説明】
【００１５】
【図１】本発明の実施形態に係るインクジェット記録装置の全体構成を示す概略構成図である。
【図２】本発明の実施形態に係るインクジェット記録装置におけるヘッドユニットを記録媒体側から見た状態を示す平面図である。
【図３】本発明の実施形態に係るインクジェット記録装置の制御系の構成を示すブロック図である。
【図４】ドット率と６０度光沢度との関係を示す図である。
【図５】インクジェット記録装置の制御系における制御部が有する濃度補正に関する機能の構成の一例を示す機能ブロック図である。
【図６】濃度補正の処理の流れを示すフローチャートである。
【図７】第１の濃度補正によるインク液滴の吐出量を調整する処理についての説明図である。
【図８】駆動電圧の電圧補正値の設定に用いられる電圧補正値とインク吐出量との関係を示す図である。
【図９】第１の濃度補正動作の処理の流れを示すフローチャートである。
【図１０】第２の濃度補正動作の処理の流れを示すフローチャートである。
【発明を実施するための形態】
【００１６】
以下、本発明を実施するための形態（以下、「実施形態」と記述する）について図面を用いて詳細に説明する。本発明は実施形態に限定されるものではない。なお、以下の説明や各図において、同一要素又は同一機能を有する要素には同一符号を用いることとし、重複する説明は省略する。
＜インクジェット記録装置の構成例＞
インクジェット記録装置の構成例について、図１を参照して説明する。図１は、本発明の実施形態に係るインクジェット記録装置の全体構成を示す概略構成図である。
【００１７】
図１に示すインクジェット記録装置１は、記録ヘッドに設けられた複数のノズルからインク液滴を吐出（射出）することで、記録媒体の一例である記録用紙Ｐに画像を形成する画像形成装置である。このインクジェット記録装置１は、例えば、イエロー（Ｙ）、マゼンダ（Ｍ）、シアン（Ｃ）及びブラック（Ｋ）の４色のインクを重ね合わせるカラー方式のインクジェット記録装置である。
【００１８】
インクジェット記録装置１は、給紙部１０と、画像形成部２０と、排紙部３０と、制御部４０とを有している。そして、インクジェット記録装置１は、外部装置２（図３参照）から入力される画像データに基づく画像を記録用紙Ｐに形成（記録）する。
【００１９】
給紙部１０は、給紙トレー１１と、用紙供給部１２とを有している。給紙トレー１１は、記録用紙Ｐを載置可能に設けられた板状の部材である。給紙トレー１１は、載置された記録用紙Ｐの枚数に応じて上下方向に移動可能に設けられている。そして、給紙トレー１１に載置された複数の記録用紙Ｐのうち上下方向の最上部の記録用紙Ｐは、用紙供給部１２により搬送される位置で保持される。
【００２０】
用紙供給部１２は、複数（本例では、２つ）のローラ１２１、１２２と、搬送ベルト１２３とを有している。搬送ベルト１２３は、長手方向の両端が接続された無端状に形成されている。搬送ベルト１２３は、ローラ１２１、１２２に張架されている。そして、ローラ１２１、１２２のうち一方のローラが回転駆動されることで、搬送ベルト１２３は、２つのローラ１２１、１２２の間を循環移動する。これにより、搬送ベルト１２３に載置された記録用紙Ｐが搬送される。
【００２１】
また、用紙供給部１２は、ローラ１２１、１２２を回転駆動する不図示の駆動部や、給紙トレー１１に載置された最上部の記録用紙Ｐを搬送ベルト１２３に受け渡す供給部を有している。そして、用紙供給部１２は、搬送ベルト１２３に載置された記録用紙Ｐを画像形成部２０に向けて搬送し、画像形成部２０に給紙する。
【００２２】
画像形成部２０は、画像形成ドラム２１と、受け渡しユニット２２と、加熱部２３と、ヘッドユニット２４と、定着部２５と、画像読取部２６と、用紙排出部２７と、用紙反転部２８とを有している。
【００２３】
画像形成ドラム２１は、円筒状に形成されている。画像形成ドラム２１は、不図示の駆動モータによる回転駆動により、反時計回りに回転する。画像形成ドラム２１の外周面には、給紙部１０から供給された記録用紙Ｐが担持される。そして、画像形成ドラム２１は、回転することにより、記録用紙Ｐを排紙部３０に向けて搬送する。加熱部２３、ヘッドユニット２４、定着部２５及び画像読取部２６は、画像形成ドラム２１の外周面に対向して配置されている。
【００２４】
受け渡しユニット２２は、給紙部１０の用紙供給部１２と画像形成ドラム２１との間に設けられている。受け渡しユニット２２は、爪部２２１と、円筒状の受け渡しドラム２２２等を有している。爪部２２１は、用紙供給部１２により搬送された記録用紙Ｐの一端を担持する。受け渡しドラム２２２は、爪部２２１に担持された記録用紙Ｐを画像形成ドラム２１に向けて誘導する。これにより、記録用紙Ｐは、受け渡しユニット２２を介して用紙供給部１２から画像形成ドラム２１の外周面に受け渡される。
【００２５】
受け渡しドラム２２２における記録用紙Ｐの搬送方向の下流側には、加熱部２３が配置されている。加熱部２３は、例えば電熱線等を有し、通電されることによって発熱する。加熱部２３は、制御部４０による制御により、画像形成ドラム２１に担持されて加熱部２３の近傍を通過する記録用紙Ｐが所定の温度となるように加熱を行う。
【００２６】
また、加熱部２３の近傍には、不図示の温度センサが設けられている。温度センサは、加熱部２３付近の温度を検知する。そして、制御部４０は、温度センサが検知した温度情報に基づいて、加熱部２３の温度を制御する。
【００２７】
加熱部２３における記録用紙Ｐの搬送方向の下流側には、ヘッドユニット２４が設けられている。ヘッドユニット２４は、イエロー（Ｙ）、マゼンダ（Ｍ）、シアン（Ｃ）、ブラック（Ｋ）の各色に対応して４つ設けられている。４つのヘッドユニット２４は、記録用紙Ｐの搬送方向に対して上流側から、イエロー、マゼンダ、シアン、ブラックの順に配置されている。
【００２８】
ヘッドユニット２４は、複数の記録ヘッドの各複数のノズルからインク液滴を吐出して記録用紙Ｐに印画（画像形成）を行う記録部である。ヘッドユニット２４は、記録用紙Ｐの搬送方向と直交する方向（記録用紙Ｐの幅方向）において記録用紙Ｐの全体を覆う長さ（ページ幅）に設定されている。すなわち、本例に係るインクジェット記録装置１は、ヘッドユニット２４に記録用紙Ｐを一度だけスキャンさせることによって画像を形成するワンパス方式のラインヘッド型インクジェット記録装置である。ワンパス方式は、高速印画の観点で優れている。４つのヘッドユニット２４は、それぞれ吐出するインクの色が異なるだけで、互いに同一の構成を有している。ヘッドユニット２４の詳細については後述する。
【００２９】
定着部２５は、記録用紙Ｐの搬送方向における４つのヘッドユニット２４の下流側に配置されている。定着部２５としては、例えば、低圧水銀ランプ等の紫外線を照射する蛍光管が適用される。そして、定着部２５は、画像形成ドラム２１により搬送された記録用紙Ｐに向けて紫外線を照射し、記録用紙Ｐ上に吐出されたインク液滴を硬化させる。これにより、定着部２５は、記録用紙Ｐに形成された画像を定着させる。
【００３０】
紫外線を発する蛍光管としては、低圧水銀ランプの他、数百Ｐａ〜１ＭＰａ程度の動作圧力を有する水銀ランプ、殺菌灯として利用可能な光源、冷陰極管、紫外線レーザー光源、メタルハライドランプ、発光ダイオード等を例示することができる。これらの中で、紫外線をより高照度で照射可能であって、消費電力の少ない光源（例えば、発光ダイオード等）が、蛍光管としてより望ましい。
【００３１】
なお、定着部２５としては、紫外線の光を照射するものに限定されるものではなく、インクの性質に応じてインクを硬化させる性質を有するエネルギー線を照射するものであればよく、光源もエネルギー線の波長などに応じて置換される。また、定着部の定着手法としては、例えば、用紙に熱を与えることによってインク液滴を乾燥させたり、インク液滴に化学的な変化を起こさせる液体を付与させたりする等、その他各種の方法を適用することができる。
【００３２】
画像読取部２６は、定着部２５による画像の定着位置よりも記録用紙Ｐの搬送方向の下流側において、画像形成ドラム２１のドラム面に対向して配置されている。画像読取部２６は、画像形成ドラム２１により搬送される記録用紙Ｐに形成されている、後述する濃度測定用のテストチャートを含む画像の濃度を読み取る。画像読取部２６は、読み取った画像のデータを撮像データとして制御部４０に送る。
【００３３】
画像読取部２６は、例えば、画像形成ドラム２１により搬送される記録用紙Ｐに対して光を照射する光源と、当該光源から記録用紙Ｐに照射された光に基づく当該記録用紙Ｐからの反射光の強度を検出するセンサ部との組合せからなる。センサ部は、例えば、複数の検出素子（画素）が、記録用紙Ｐの搬送方向と直交する方向（記録用紙Ｐの幅方向）に配列されてなるラインセンサである。
【００３４】
ラインセンサは、記録用紙Ｐの形成画像を複数の波長成分ごと、例えば、赤（Ｒ），緑（Ｇ），青（Ｂ）の３波長で取得可能となっている。ラインセンサの検出素子としては、ＣＣＤ（Charge Coupled Device）型の撮像素子や、ＣＭＯＳ（Complementary Metal Oxide Semiconductor）型の撮像素子等を用いることができる。なお、画像読取部２６としては、上記の構成のものに限られるものではなく、例えば、センサ部として、ラインセンサに代えて、撮像素子が二次元配置されてなるエリアセンサを用いることもできる。
【００３５】
ここで、画像読取部２６を構成する複数の検出素子（画素）の間隔は、記録ヘッド２４２のノズル２４４の間隔よりも広く設定されている。すなわち、画像読取部２６のノズル列に沿う方向（以下、「ノズル列方向」と記述する）の読取解像度（読取分解能）は、記録ヘッド２４２の記録解像度よりも低く（粗く）設定されている。すなわち、画像読取部２６の読取解像度＜記録ヘッド２４２の記録解像度の関係に設定されている。
【００３６】
画像読取部２６の記録用紙Ｐの搬送方向の下流側には、用紙排出部２７と、用紙反転部２８とが設けられている。用紙排出部２７は、画像形成ドラム２１により搬送された記録用紙Ｐを排紙部３０に向けて搬送する。
【００３７】
用紙排出部２７は、円筒状の分離ドラム２７１と、排出ベルト２７２とを有している。分離ドラム２７１は、画像形成ドラム２１に担持された記録用紙Ｐを画像形成ドラム２１の外周面から分離させる。そして、分離ドラム２７１は、記録用紙Ｐを排出ベルト２７２又は用紙反転部２８に記録用紙Ｐを誘導する。
【００３８】
分離ドラム２７１は、片面画像形成におけるフェースアップ排紙を行う場合に、記録用紙Ｐを排出ベルト２７２に誘導する。また、分離ドラム２７１は、片面画像形成におけるフェースダウン排紙及び両面画像形成を行う場合に、記録用紙Ｐを用紙反転部２８に誘導する。
【００３９】
排出ベルト２７２は、用紙供給部１２の搬送ベルト１２３と同様に、無端状に形成されている。排出ベルト２７２は、複数のローラにより回転可能に支持されており、分離ドラム２７１によって受け渡された記録用紙Ｐを排紙部３０に送り出す。
【００４０】
用紙反転部２８は、複数の反転ローラ２８１、２８２と、反転ベルト２８３とを有している。フェースダウン排紙を行う場合、用紙反転部２８は、分離ドラム２７１により誘導された記録用紙Ｐの表裏を反転し、用紙排出部２７に搬送する。これにより、記録用紙Ｐは、用紙画像が形成された面が上下方向の下方を向いた状態で用紙排出部２７によって排紙部３０に搬送される。
【００４１】
また、両面画像形成を行う場合、用紙反転部２８は、分離ドラム２７１により誘導された記録用紙Ｐの表裏を反転し、再び画像形成ドラム２１の外周面に搬送する。これにより、記録用紙Ｐは、画像形成ドラム２１により搬送され、再び加熱部２３、ヘッドユニット２４、定着部２５及び画像読取部２６を通過する。
【００４２】
排紙部３０は、用紙排出部２７により画像形成部２０から送り出された記録用紙Ｐを格納する。排紙部３０は、平板状の排紙トレー３１を有している。そして、排紙部３０は、排紙トレー３１上に画像が形成された記録用紙Ｐを載置する。
【００４３】
［ヘッドユニットの構成例］
次に、ヘッドユニット２４の構成例について、図２を参照して説明する。図２は、本発明の実施形態に係るインクジェット記録装置１におけるヘッドユニット２４を用紙側から見た状態を示す平面図である。
【００４４】
ヘッドユニット２４は、複数（本例では、６個）の記録ヘッド２４２ａ〜２４２ｆ（以下では、これらを総称して記録ヘッド２４２と記述する場合がある）を有している。図２には、記録ヘッド２４２のノズル２４４の位置を模式的に示している。ノズル２４４は、記録用紙Ｐの搬送方向（用紙搬送方向）と交差する方向（本例では、直交する方向）に配列されている。このノズル２４４の配列方向をノズル列方向と呼ぶ。６つの記録ヘッド２４２ａ〜２４２ｆは、ノズル列方向についての配置範囲が互いに一部重複するように千鳥状に配置され、ノズル列方向に沿って奇数番目に配置された記録ヘッド２４２ａ，２４２ｃ，２４２ｅのノズル２４４が同一直線上に位置するとともに、偶数番目に配置された記録ヘッド２４２ｂ，２４２ｄ，２４２ｆのノズル２４４が同一線上に位置している。
【００４５】
また、６つの記録ヘッド２４２ａ〜２４２ｆは、互いに隣接する一対の記録ヘッド２４２において、各々に設けられた複数のノズル２４４（ノズル群）のうち、一の記録ヘッド２４２の一方側の端部近傍のノズルと、他の一の記録ヘッド２４２の他方側の端部近傍のノズルとのノズル列方向についての配置範囲が重なる位置関係でノズル列方向に互いにずれた状態で配置されている。換言すれば、６つの記録ヘッド２４２ａ〜２４２ｆは、各々に設けられたノズル群のノズル列方向についての配置範囲が互いに異なる範囲を含み、ノズル列方向にインクを吐出可能な範囲が連続的に繋がるような位置関係で配置されている。記録ヘッド２４２ａ〜２４２ｆのノズル群同士が重複して配置されるノズル列方向の各範囲内には、重複範囲Ｒ（繋ぎ目）が設定されている。各重複範囲Ｒでは、重複範囲Ｒにノズルが設けられている一対の記録ヘッド２４２の各々のノズルから相補的にインクが吐出される。本実施形態では、一対の記録ヘッド２４２のノズル群同士が重複して配置されるノズル列方向の範囲全体が重複範囲Ｒとされている。
【００４６】
なお、記録ヘッド２４２の数及び配置は、上述した例に限定されるものではなく、８つ以上の記録ヘッド２４２を配置する構成であってもよい。
【００４７】
また、記録ヘッド２４２は、インク液滴を記録用紙Ｐに向けて吐出するノズル２４４を含む複数の記録素子を有するインクジェットヘッドである。記録素子は、ノズル２４４に加えて、インクを貯留する圧力室と、当該圧力室の側壁に設けられた圧電素子とを備えており、圧力室にノズル２４４が連通した構成となっている。記録ヘッド２４２にはヘッド駆動部２４１（図３参照）から、画像データの画素値に応じて、圧電素子を変形動作させる駆動電圧が駆動条件として供給される。
【００４８】
そして、圧電素子が変形動作することで、ヘッド駆動部２４１から駆動電圧に応じて圧力室が変形して当該圧力室内の圧力が変化し、圧力室に連通するノズル２４４からインク液滴を吐出する動作が行われる。これにより、記録ヘッド２４２の各々において、画像データの画素値に応じた液量のインク液滴が、複数のノズル２４４から記録用紙Ｐに向けて吐出され、画像形成ドラム２１に担持された記録用紙Ｐに画像が形成される。
【００４９】
＜制御系の構成例＞
次に、インクジェット記録装置１の制御系の構成について、図３を参照して説明する。図３は、本発明の実施形態に係るインクジェット記録装置１の制御系の構成を示すブロック図である。
【００５０】
図３に示すように、インクジェット記録装置１は、制御部４０を備えている。制御部４０は、例えば、ＣＰＵ（Central Processing Unit）４１と、ＣＰＵ４１の作業領域として使用されるＲＡＭ（Random Access Memory）４２と、ＣＰＵ４１が実行するプログラム等を記憶するためのＲＯＭ（Read Only Memory）４３とを有している。
【００５１】
さらに、制御部４０は、大容量記憶装置としてのハードディスクドライブ（ＨＤＤ）等の記憶部４４を有している。記憶部４４には、外部装置２から受け取った画像データや、画像読取部２６が記録用紙Ｐから読み取った画像に基づく画像データや、後述する濃度補正で用いられる、複数の記録ヘッド２４２におけるノズル群からのインク液滴の吐出量に関するデータ（インク吐出量データ）等が記憶される。
【００５２】
また、インクジェット記録装置１は、画像形成ドラム２１、用紙排出部２７及び用紙反転部２８等の搬送系の駆動を行う搬送駆動部５１と、操作表示部５２と、入出力インターフェース５３とを有している。
【００５３】
制御部４０のＣＰＵ４１は、加熱部２３、ヘッドユニット２４、定着部２５、画像読取部２６、ＲＡＭ４２、ＲＯＭ４３及び記憶部４４に対して、システムバス５４を介して接続されており、インクジェット記録装置１の全体を制御する。また、ＣＰＵ４１は、搬送駆動部５１、操作表示部５２及び入出力インターフェース５３に対して、システムバス５４を介して接続されている。
【００５４】
操作表示部５２は、例えば、液晶表示装置（ＬＣＤ：Liquid Crystal Display）や、有機ＥＬ（Electro Luminescence）表示装置等のパネル式表示装置と、タッチパッド等の位置入力装置とを組み合わせたタッチパネルを用いて構成されている。この操作表示部５２は、ユーザに対する指示メニューや、取得した画像データに関する情報等を表示する。さらに、操作表示部５２は、複数のキーを備え、ユーザのキー操作による各種の指示、文字、数字などのデータの入力を受け付ける入力部としての役割を持つ。
【００５５】
入出力インターフェース５３は、ＰＣ（パーソナルコンピュータ）や、ファクシミリ装置等の外部装置２に接続されている。そして、入出力インターフェース５３は、外部装置２から画像データを受信し、その受信した画像データをシステムバス５４を介して制御部４０に供給する。制御部４０は、入出力インターフェース５３を通して入力される画像データに対し、必要に応じて、シェーディング補正、画像濃度調整、画像圧縮等の画像処理を行う。
【００５６】
また、ヘッドユニット２４は、制御部４０によって画像処理された画像データを受け取り、当該画像データに基づいて記録用紙Ｐ上に所定の画像を形成する。具体的には、ヘッドユニット２４は、制御部４０による制御の下に、ヘッド駆動部２４１を駆動し、当該ヘッド駆動部２４１から記録ヘッド２４２に対して、画像データの画素値に応じた駆動電圧を印加する。
【００５７】
これにより、記録ヘッド２４２のノズル２４４から、画像データの画素値に応じた液量のインク液滴が吐出（射出）され、記録用紙Ｐ上の所定の位置に着弾することで画像が形成される。記録用紙Ｐに形成された画像は、画像読取部２６によって読み取られる。そして、画像読取部２６が読み取った画像に基づく画像データ（撮像データ）は、制御部４０による制御の下に、記憶部４４に記憶される。
【００５８】
記録ヘッド２４２のノズル２４４から吐出されるインクとしては、室温において固体のワックス等を素材とするホットメルト型インク組成物や、記録媒体上でゲル状に相変化する相変化型インク組成物等を用いることができる。また、記録ヘッド２４２のノズル２４４から吐出されるインク液滴の液量については、ヘッド駆動部２４１から記録ヘッド２４２に印加する駆動電圧の電圧値（電圧振幅）の大きさ及び／又は印加時間を補正することで調整することができる。
【００５９】
駆動電圧の電圧値の大きさについては、ヘッド駆動部２４１に与えられる電源電圧の電圧値の大きさを変更することによって補正することができる。あるいは、駆動電圧の電圧値の大きさについては、電圧値の異なる複数の電圧をヘッド駆動部２４１に入力し、当該複数の電圧のうちの一つを駆動電圧として選択することによって補正することもできる。また、駆動電圧の印加時間については、ヘッド駆動部２４１から記録ヘッド２４２に駆動電圧を印加する際に参照される駆動電圧パターンデータを変更することによって補正することができる。
【００６０】
＜濃度ムラについて＞
上記構成のインクジェット記録装置１では、同一の電圧値の駆動電圧に応じて各記録ヘッド２４２の複数のノズル２４４からインク液滴が吐出されるとき、そのインク液滴の吐出量（吐出液量）は均一であることが望ましい。しかし、記録ヘッド２４２内の温度のばらつきや、記録ヘッド２４２の記録素子の特性ばらつき等に起因して、記録ヘッド２４２ごとに、あるいは記録ヘッド２４２の複数のノズル２４４間でインク液滴の吐出量にばらつきが生じることがある。
【００６１】
そして、記録ヘッド２４２の複数のノズル２４４間でインク液滴の吐出量にばらつきがあると、記録用紙Ｐの形成画像に濃度ムラが生じる。この濃度ムラは、形成画像の画質低下に繋がる。また、記録ヘッド２４２の数が複数になると、記録ヘッド２４２ごとにインク液滴の吐出量のばらつきが生じることがある。この記録ヘッド２４２ごとの吐出量のばらつきによっても、形成画像に濃度ムラが生じ、形成画像の画質低下に繋がる。
【００６２】
ここで、複数の記録ヘッド２４２をノズル列方向にページ幅分だけ並べてヘッドユニット２４を構成し、当該ヘッドユニット２４でグレースケールのテストチャートを印画した場合の濃度ムラについて考える。
【００６３】
個別の記録ヘッド２４２においても、ノズル２４４ごとにインク液滴の吐出速度が異なり、隣接するノズル２４４間でも吐出速度の誤差が生じ、またノズル列方向にも低周波の吐出速度に速度差が生ずる。吐出速度の変化は、インク液滴の吐出量（吐出液量）の変化に繋がり、これらは高周波、低周波の濃度ムラとなる。
【００６４】
この濃度ムラについては、記録ヘッド２４２内で部分的に、駆動条件である駆動電圧を変更することで対処できるものの、ノズル単位でインク液滴の吐出量を揃えるには、ノズルごとに駆動条件を設定する必要があることから、ヘッド駆動部２４１の回路構成が複雑になり、コストアップになる。
【００６５】
＜光沢ムラについて＞
ところで、複数のノズル２４４からのインク液滴の吐出速度が一定になるような記録ヘッド２４２の駆動電圧を予め測定しておく場合、記録ヘッド２４２をインクジェット記録装置１に搭載し、実際に使用するインクを用いて実際の使用環境に合わせた状態でインク液滴の吐出速度を測定することはできない。そのため、駆動電圧の測定に際しては、所定の粘度の液体を用いて所定の温度管理下で、射出測定器に測定対象の記録ヘッドを装着し、吐出速度の測定を行うことになる。
【００６６】
つまり、記録ヘッド２４２の工場出荷時に、各記録ヘッド２４２の感度電圧という形で駆動条件である駆動電圧の測定が行われる。したがって、実際に使用するインク、記録媒体、インクジェット記録装置での管理下では、測定された駆動電圧を各記録ヘッド２４２に設定しても、同一グレースケールのテストチャートを印画した場合、同一濃度になるとは限らない。さらに、記録ヘッド２４２ごとに上記のように濃度が異なる状態でグレースケールのテストチャートを印画し、濃度が一定になるような補正を印画データ（画像データ）に行ったとしても、濃度値としては同じでも光沢感が異なる光沢ムラという現象が生じる。
【００６７】
特に、ワンパス方式のインクジェット記録装置１において、相変化型インクのように、記録用紙Ｐ上でインク液滴を固化させて記録用紙Ｐに定着させるインクを用いて画像形成を行う場合には、液滴合一等によってドットの粒状感の悪化だけでなく、形成画像の光沢の違和感が顕著となる。より具体的には、記録用紙Ｐに形成された画像において、インクのドットが柔らかいワックス状であり、ドットの盛り上がりによって意図しない塊となるために局所的にドット率が高くなる。ドット率は、記録用紙Ｐに形成する画像の元データである画像データを構成する複数の画素のうち、ドットを形成する画素の割合である。
【００６８】
図４に、ドット率と６０度光沢度との関係を示す。図４から明らかなように、ドット率と６０度光沢度との間には相関があり、０％ドット率では紙面の光沢を示し、１００％ドット率ではインク表面の光沢を示す。図４においては、ドット率３０％のあたりで６０度光沢の低下がみられるが、これはドットのエッジ部で発生する散乱によって低下するものと考えられている。また、一般的に、色の濃さは被覆率に比例する一方、濃度はドットの被覆率と相関がある。そこで、ドット径が異なる状態においてドット率で濃度を合わせると、記録用紙Ｐに形成した画像の濃度が全体的に同じであっても光沢ムラという現象が生じる。この光沢ムラは、記録用紙Ｐの形成画像の画質悪化の一因となる。
【００６９】
＜実施形態の説明＞
そこで、本実施形態では、光沢感がドット径（ドットの大きさ）よりもドット率（ドットの数）に相関があることに着目し、制御部４０による制御の下に、光沢ムラを改善することを考えた。具体的には、先ず、記録ヘッド２４２の駆動条件を変えることにより、隣接する記録ヘッド２４２間で、同じドット率の下で同じ濃度となるようにドット径を調整する、即ちインク液滴の吐出量（液量）を調整する。このドット径の調整を行った後に、個々の記録ヘッド２４２内において緩やかに変動する濃度について、画像データを補正することによってドット率を調整する。
【００７０】
このように、本実施形態では、光沢感がドット径よりもドット率に相関があることに着目し、先ず、記録ヘッド２４２の駆動条件を変えることによってドット径を調整し、しかる後、画像データを補正することによってドット率を調整する。これにより、記録ヘッド２４２ごとに光沢感が異なることに伴う画質低下を抑えることができるため、記録媒体に形成した画像の高画質化と自然な光沢感の両立を図ることができる。
【００７１】
以下に、制御部４０による制御の下に、特に光沢ムラを改善する濃度補正を行うための具体的な実施例について説明する。
【００７２】
［実施例１］
実施例１は、濃度補正のための制御を行う制御部４０の具体的な機能構成についての例である。図５は、インクジェット記録装置１の制御系における制御部４０が有する濃度補正に関する機能の構成の一例を示す機能ブロック図である。図５に示すように、制御部４０は、第１の濃度補正部４０１、第２の濃度補正部４０２及び切替えスイッチ４０３の各機能部を有する構成となっている。第１の濃度補正部４０１、第２の濃度補正部４０２及び切替えスイッチ４０３の各機能については、例えば、制御部４０を構成するＣＰＵ４１による制御の下に実現することができる。切替えスイッチ４０３は、画像読取部２６によるテストチャートの濃度の読取結果を第１の濃度補正部４０１に供給する第１のモードと、画像読取部２６によるテストチャートの濃度の読取結果を第２の濃度補正部４０２に供給する第２のモードのモード切替えを行う。
【００７３】
第１のモードでは、第１の濃度補正部４０１による補正動作にあたって、記録用紙Ｐにはヘッドユニット２４により、記録ヘッド２４２内の同一の駆動条件を設定するノズル群ごとに、濃度測定用のテストチャート、例えばグレースケールのテストチャートが印画される。そして、第１の濃度補正部４０１には、画像読取部２６によるテストチャートの濃度の読取結果が、複数の記録ヘッド２４２の濃度情報として与えられる。この複数の記録ヘッド２４２の濃度情報を受けて、第１の濃度補正部４０１は、当該濃度情報を基に複数の記録ヘッド２４２のそれぞれの駆動条件、例えば駆動電圧の電圧補正値を算出し、ヘッドユニット２４の複数の記録ヘッド２４２に設定する。
【００７４】
第１の濃度補正部４０１による補正後に、再度、ヘッドユニット２４によって記録用紙Ｐに濃度測定用のテストチャートが印加される。第１の濃度補正部４０１による補正後に印画される濃度測定用のテストチャートについては、１回目に印画された濃度測定用のテストチャートと同じものをそのまま使用することもできるし、異なるテストチャートを使用することもできる。同じテストチャートを使用するか、異なるテストチャートを使用するかは任意である。
【００７５】
第２のモードにおいて、第２の濃度補正部４０２には、第１の濃度補正部４０１による補正結果が反映された濃度測定用のテストチャートの濃度を、画像読取部２６が読み取って得た濃度情報が与えられる。この濃度情報を受けて、第２の濃度補正部４０２は、当該濃度情報を基に濃度ムラ補正値を算出し、当該濃度ムラ補正値を基に画像データに対して補正を行う。そして、第２の濃度補正部４０２は、補正後の画像データを印画データとして、ヘッドユニット２４の複数の記録ヘッド２４２に供給する。第１の濃度補正部４０１及び第２の濃度補正部４０２の各々による補正動作の回数については、１回とすることもできるし、複数回とすることもできる。
【００７６】
上述した第１の濃度補正部４０１及び第２の濃度補正部４０２を有する本実施形態に係るインクジェット記録装置１では、画像読取部２６の読取解像度が、記録ヘッド２４２の記録解像度よりも低く設定されている（読取解像度＜記録解像度）。何故ならば、記録解像度相当の読取解像度とすると、画像読取部２６に高い性能を要求することになり、コストアップになるからである。これによる不具合としては、ダウンサンプリング時のモアレにより、濃度を正確に計測できなくなる場合が考えられる。そこで、このモアレを抑制する手段として、本実施例における画像読取部２６では光学ローパスフィルタを装着している。この光学ローパスによって画像読取部２６のナイキスト周波数より高周波側の成分をカットすることで、モアレの少ない低解像度画像を得ることができる。これにより、濃度測定用のテストチャートの濃度を読み取る画像読取部２６の読取解像度（読取分解能）によらず、正確な濃度補正を行うことができる。また、濃度測定用のテストチャートとして、グレースケールのテストチャートを用い、複数階調でテストチャートを印画（記録）することで、複数の濃度情報を基に複数の記録ヘッド２４２のそれぞれの駆動条件を算出することができる。
【００７７】
［実施例２］
実施例２は、濃度補正の処理の例である。図６は、濃度補正の処理の流れを示すフローチャートである。本濃度補正の処理は、制御部４０による制御、より具体的には制御部４０を構成するＣＰＵ４１（図３参照）による制御の下に実行される。
【００７８】
本濃度補正処理は、例えば操作表示部５２において、ユーザにより濃度補正処理を行う指示に係る入力操作が行われた場合に実行される。このような濃度補正処理は、例えば、ヘッドユニット２４の複数の記録ヘッド２４２の一部又は全部が交換された場合に、ユーザによる操作の下に実行される。
【００７９】
ＣＰＵ４１は、濃度補正の処理に際し、先ず、ヘッドユニット２４を制御することにより、濃度測定用のテストチャートとして、例えばグレースケールのテストチャートを記録用紙Ｐに印画する（ステップＳ１１）。
【００８０】
ステップＳ１１の処理では、ＣＰＵ４１は、搬送駆動部５１に制御信号を出力し、当該搬送駆動部５１による駆動の下に、画像形成ドラム２１を回転させて記録用紙Ｐを搬送させる。そして、ＣＰＵ４１は、ＲＯＭ４３に記憶されたテストチャートの画像データを含む制御信号をヘッド駆動部２４１に供給して、画像形成ドラム２１の回転に応じた適切なタイミングで、ヘッド駆動部２４１から記録ヘッド２４２に駆動電圧を出力させる。これにより、画像形成ドラム２１により搬送される記録用紙Ｐ上に、記録ヘッド２４２の複数のノズル２４４からインク液滴が吐出され、記録用紙Ｐにテストチャートが印画（形成）される。
【００８１】
次に、ＣＰＵ４１は、画像読取部２６を制御することにより、記録用紙Ｐに印画されたテストチャートの濃度を読み取る（ステップＳ１２）。具体的には、ＣＰＵ４１は、画像形成ドラム２１により記録用紙Ｐを搬送させながら、記録用紙Ｐに印画されたテストチャートの濃度を画像読取部２６により読み取らせ、画像読取部２６が読み取って得た撮像データを取得して記憶部４４に記憶させる。
【００８２】
次に、ＣＰＵ４１は、画像読取部２６から与えられるテストチャートの濃度情報に基づいて、第１の濃度補正動作の処理を行う（ステップＳ１３）。この第１の濃度補正動作では、テストチャートの濃度情報を基に、複数の記録ヘッド２４２のそれぞれの駆動条件、具体的には駆動電圧の電圧補正値を算出し、複数の記録ヘッド２４２に設定する処理が行われる。これにより、ドット径、即ちインク液滴の吐出量（液量）の調整が行われる。その処理の詳細については後述する。
【００８３】
次に、ＣＰＵ４１は、第１の濃度補正動作が終了したか否かを判断し（ステップＳ１４）、終了していなければ（Ｓ１４のＮＯ）、ステップＳ１３に戻り、終了していれば（Ｓ１４のＹＥＳ）、再度、ヘッドユニット２４を制御することにより、濃度測定用のテストチャートを記録用紙Ｐに印画する（ステップＳ１５）。次いで、ＣＰＵ４１は、画像読取部２６を制御することにより、記録用紙Ｐに印画されたテストチャートの濃度を読み取る（ステップＳ１６）。
【００８４】
次に、ＣＰＵ４１は、画像読取部２６から与えられるテストチャートの濃度情報に基づいて、第２の濃度補正動作の処理を行う（ステップＳ１７）。この第２の濃度補正動作では、テストチャートの濃度情報を基に濃度ムラ補正値を算出し、当該濃度ムラ補正値に基づいて画像データを補正することにより、ドット率を調整する処理が行われる。その処理の詳細については後述する。
【００８５】
（第１の濃度補正動作）
第１の濃度補正動作では、記録ヘッド２４２の複数のノズル２４４から吐出されるインク液滴の吐出量を調整する処理が行われる。図７は、第１の濃度補正によるインク液滴の吐出量を調整する処理についての説明図である。
【００８６】
図７Ａ〜図７Ｃには、インク液滴の吐出量（以下、「インク吐出量」と記述する場合がある）を調整する処理動作の各段階における電圧補正値の設定に基づいて、画像読取部２６で取得した画像読取値から算出されるインク吐出量の予測値がどのように変化していくのかを図示したものである。濃度測定用のテストチャートを印画した場合の、複数の記録ヘッド２４２におけるノズル群からのインク吐出量６０ａ〜６０ｆの予測値が示されている。
【００８７】
第１の濃度補正動作の処理では、先ず、記憶部４４に記憶されているインク吐出量データに基づいて、各記録ヘッド２４２に係るインク吐出量６０ａ〜６０ｆの各々の平均値を求める。そして、インク吐出量６０ａ〜６０ｆの各々の平均値と、インク吐出量の所定の基準値Ｄ０との差分に基づいて、各記録ヘッド２４２に係るインク吐出量６０ａ〜６０ｆの平均値が基準値Ｄ０に一致するように、各記録ヘッド２４２に係る駆動電圧の電圧補正値を設定する。ここでは図示しないが、あらかじめインク吐出量と画像読取部２６で取得した画像読取値との関係を示すＬＵＴを保持しており、予測値とは、画像読取値を液量に変換した値のことである。図７Ａには、このようにして設定された電圧補正値に基づいて、ヘッドユニット２４により濃度測定用のテストチャートを印画した場合におけるインク吐出量の予測値を示している。
【００８８】
ここで、インク吐出量の基準値Ｄ０は、インク吐出量データの生成に用いられた濃度測定用のテストチャートの濃度に応じたインク吐出量の基準範囲ｒの中心の値である。この基準範囲ｒは、濃度測定用のテストチャートの濃度に係る画像を適正な画質で印画することができるインク吐出量の範囲であり、基準範囲ｒの上限値及び下限値は、以下のように定められる。
【００８９】
すなわち、インク吐出量が多すぎる場合には、定着部２５の発光部からの光が記録用紙Ｐ上に吐出されたインク液滴の表面付近で吸収されてインク液滴の内部まで届かず、インクの硬化が不十分となる問題が生じる。このため、基準範囲ｒの上限値は、インクの十分な硬化を保証するために設けられている。
【００９０】
一方、インク吐出量が少なすぎる場合には、インク吐出不良の不良ノズルによるインクの非吐出を補うように当該不良ノズルの周辺のノズルからのインク吐出量を増大させる補完を適切に行うことができなくなるという問題が生じる。このため、基準範囲ｒの下限値は、不良ノズルによるインクの非吐出の補完性能を保証するために設けられている。
【００９１】
また、電圧補正値の設定は、画像読取部２６の相対読取値と電圧補正値との関係を示す近似式を用いて以下のアルゴリズムに基づいて行われる。
【００９２】
図８は、駆動電圧の電圧補正値の設定に用いられる電圧補正値と、画像読取部２６で取得した画像読取値と、インク吐出量との関係を示す図である。本実施例においては、画像読取値として、画像読取部２６のＣＣＤセンサによる読取値を用いている。ＣＣＤデータは、読取値が大きいほど明るく、読取値が小さくなるほど暗く表現される値であるため、画像読取値（図８中、曲線６１）と電圧補正値（図８中、曲線６２）の関係は電圧補正値が大きいほど画像読取値は小さくなるように推移する。また、画像読取値とインク吐出量（図８中、曲線６３）の関係はインク吐出量が多いほど紙面上の被覆率が増加し濃度が高く見えるため、インク吐出量が多いほど画像読取値は小さくなる。また、図８において、インク吐出量と画像読取値は一義的に決まるが、電圧補正値と画像読取値の関係は記録ヘッド２４２ａ〜２４２ｆ毎に吐出感度が異なるためヘッド毎に複数の線が形成される。実線及び破線で示す曲線６１，６２は、記録ヘッド２４２ａ〜２４２ｆのうちの２つで印字した印刷物の濃度と画像読取値との関係を表している。この曲線６１，６２は、予め異なる電圧補正値を適用してそれぞれヘッドユニット２４により複数のテストチャートを記録し、これらの各テストチャートのうちノズル列方向の位置におけるインク吐出量を、適用された電圧補正値（補正差分）に対してプロットして得られたものである。また、曲線６３は、あらかじめ液量が管理された記録ヘッド２４２について取得したものである。
【００９３】
制御部４０の記憶部４４には、この曲線６１の近似式（関係式）を示すデータが記憶されている。なお、上記近似式に代えて、電圧補正値とインク吐出量との関係を示すテーブルデータとして記憶部４４に記憶させ、当該テーブルデータを参照して電圧補正値を設定するようにしてもよい。
【００９４】
上記複数のテストチャートの印画、近似式の導出、及びテーブルデータの生成は、制御部４０による制御、より具体的にはＣＰＵ４１による制御の下で実行することができる。なお、近似式の導出及びテーブルデータの生成については、外部装置２において実行する構成を採ることも可能である。
【００９５】
また、図８において、破線で示す曲線６２は、曲線６１をインク吐出量に係る縦軸の方向に平行移動した曲線であって、記録ヘッド２４２ａ〜２４２ｆのノズル群のうち、特定の部分についての電圧補正値とインク吐出量の平均値との関係を示す。この特定部分は、例えば、ノズル群のうちの一部（ノズル群の繋ぎ目など）、一の記録ヘッド２４２のノズル群全体、あるいは全ての記録ヘッド２４２のノズル群全体などとすることができる。このように、ヘッドユニット２４の各部分に係るインク吐出量と電圧補正値との関係は、曲線６１を縦軸方向に平行移動した曲線により表される。
【００９６】
図８の曲線６２は、電圧補正値を０としてインクを吐出したときにインク吐出量の平均値がＤ１となる場合の例を示す。この曲線６２上の点のうち、縦軸の座標が調整後のインク吐出量の目標値と一致する点における横軸の座標が、調整後のインク吐出量に対応する電圧補正値となる。例えば、曲線６２に示される特性を有するノズル群の特定部分によるインク吐出量の平均値が基準値Ｄ０となるようにインク吐出量を調整する場合には、曲線６２においてインク吐出量が基準値Ｄ０となる点に対応する電圧補正値Ｖ１が記録ヘッド２４２の駆動電圧の電圧補正値として取得され、設定される。
【００９７】
インク吐出量の予測値が図７Ａに示す分布となるように電圧補正値が設定された状態では、各記録ヘッド２４２に係るインク吐出量６０ａ〜６０ｆの各々の平均値が基準値Ｄ０と一致しているが、ノズル群の繋ぎ目におけるインク吐出量に差が生じている。すなわち、記録ヘッド２４２ａのノズル群と記録ヘッド２４２ｂのノズル群との繋ぎ目では、インク吐出量６０ａの繋ぎ目での代表値とインク吐出量６０ｂの繋ぎ目での代表値とがΔＤ１だけ乖離しており、以下、ノズル列方向に順に配置された記録ヘッド２４２のノズル群の繋ぎ目において、インク吐出量の代表値がΔＤ２〜ΔＤ５だけそれぞれ乖離している。
【００９８】
ここで、代表値は、例えば繋ぎ目におけるインク吐出量の平均値又は中央値とすることができる。これらの乖離の大きさ（差分）が、濃度ムラとして視認されない範囲の上限を超えている場合には、記録画像のうちノズル群の繋ぎ目に対応する部分に濃度ムラが視認されてしまう。そこで、ノズル群の繋ぎ目の各々における各ノズル群のインク吐出量の代表値の差分（ΔＤ１〜ΔＤ５）がそれぞれ０となるように、上述のアルゴリズムに基づいて記録ヘッド２４２ｂ〜２４２ｆの電圧補正値が変更されて設定される。
【００９９】
例えば、図８の曲線６２に示す特性を有する記録ヘッド２４２において、繋ぎ目でのインク吐出量の代表値の差分を０とするために一のノズル群全体のインク吐出量の平均値をＤ２に調整する場合には、曲線６２においてインク吐出量がＤ２となる点に対応する電圧補正値Ｖ２が、当該記録ヘッド２４２の駆動電圧の電圧補正値として取得され、設定される。
【０１００】
なお、上記に代えて、ノズル群の繋ぎ目における各ノズル群のインク吐出量の代表値の差分が所定の連続性条件を満たすように電圧補正値を設定してもよい。ここで、所定の連続性条件は、例えば繋ぎ目における各ノズル群のインク吐出量の代表値の差分が所定の基準差以内であることとすることができる。この所定の基準差は、例えば記録画像のうち、繋ぎ目に対応する部分において濃度ムラが視認されない、又は目立たない範囲内で定められ、記録ヘッド２４２の電圧補正値の設定を容易にするためにより大きな値とすることが好ましい。
【０１０１】
図７Ｂには、このようにして設定された電圧補正値に基づいて、ヘッドユニット２４により濃度測定用のテストチャートを印画した場合におけるインク吐出量６０ａ〜６０ｆの予測値を示している。
【０１０２】
図７Ｂでは、ノズル群の繋ぎ目の各々におけるインク吐出量が連続していることを表している。しかし、インク吐出量を連続させたことにより、各記録ヘッド２４２のノズル群におけるノズル列方向の両端部でのインク吐出量の差分が累積され、一部の記録ヘッド２４２に係るインク吐出量が基準値Ｄ０から大きく乖離して基準範囲ｒを超えてしまうことがある。
【０１０３】
すなわち、図７Ｂに示す例では、記録ヘッド２４２ｂ〜２４２ｆに係るインク吐出量６０ａ〜６０ｆの各々の少なくとも一部が基準範囲ｒの範囲外の値となる。このため、記録ヘッド２４２ａ〜２４２ｆの各々のノズル群のうち、より多くの部分に係るインク吐出量が基準範囲ｒの範囲内に収まるように、記録ヘッド２４２ａ〜２４２ｆに係るインク吐出量６０ａ〜６０ｆの全体の平均値（代表値）が基準値Ｄ０と一致するように、記録ヘッド２４２ａ〜２４２ｆの各々に係る電圧補正値が変更されて設定される。
【０１０４】
図７Ｃには、このようにして設定された電圧補正値に基づいて、ヘッドユニット２４により濃度測定用のテストチャートを印画した場合におけるインク吐出量６０ａ〜６０ｆの予測値を示している。
【０１０５】
以上の図７Ａ〜図７Ｃに対応するインク吐出量（ドット径）の調整動作が、第１の濃度補正動作である。すなわち、第１の濃度補正動作では、記録ヘッド２４２内のノズル群ごとのテストチャートの平均濃度に基づいて、当該平均濃度が記録ヘッド内のノズル群ごとに揃うように、複数の記録ヘッド２４２のそれぞれの駆動条件の設定が行われる。
【０１０６】
続いて、第１の濃度補正動作の処理の流れについて説明する。図９は、第１の濃度補正動作の処理の流れを示すフローチャートである。第１の濃度補正動作の処理は、制御部４０による制御、より具体的には制御部４０を構成するＣＰＵ４１（図３参照）による制御の下に実行される。
【０１０７】
第１の濃度補正動作の処理が開始されると、ＣＰＵ４１は、各記録ヘッド２４２に係る電圧補正値を０に設定して記憶部４４に記憶させ（ステップＳ２１）、次いで、ヘッドユニット２４を制御することにより、濃度測定用のテストチャートを記録用紙Ｐに印画する（ステップＳ２２）。
【０１０８】
ステップＳ２２の処理では、ＣＰＵ４１は、搬送駆動部５１に制御信号を出力し、当該搬送駆動部５１による駆動の下に、画像形成ドラム２１を回転させて記録用紙Ｐを搬送させる。そして、ＣＰＵ４１は、ＲＯＭ４３に記憶されたテストチャートの画像データを含む制御信号をヘッド駆動部２４１に供給して、画像形成ドラム２１の回転に応じた適切なタイミングで、ヘッド駆動部２４１により駆動電圧を記録ヘッド２４２に出力させる。これにより、画像形成ドラム２１により搬送される記録用紙Ｐ上に、記録ヘッド２４２の複数のノズル２４４からインク液滴が吐出されるため、記録用紙Ｐにテストチャートが印画される。
【０１０９】
次に、ＣＰＵ４１は、画像読取部２６を制御することにより、記録用紙Ｐに印画されたテストチャートの濃度を読み取る（ステップＳ２３）。具体的には、ＣＰＵ４１は、画像形成ドラム２１により記録用紙Ｐを搬送させながら、記録用紙Ｐに印画されたテストチャートの濃度を画像読取部２６により読み取らせ、画像読取部２６が読み取って得た撮像データを取得して記憶部４４に記憶させる。
【０１１０】
次に、ＣＰＵ４１は、テストチャートの読取結果（撮像データ）から各記録ヘッド２４２のノズル群からのインク吐出量を取得してインク吐出量データを生成し、記憶部４４に記憶させる（ステップＳ２４）。
【０１１１】
次に、ＣＰＵ４１は、各記録ヘッド２４２に係るインク吐出量の平均値が基準値Ｄ０に一致するように各記録ヘッド２４２に係る電圧補正値を設定する（ステップＳ２５）。具体的には、ＣＰＵ４１は、インク吐出量データに基づいて、各記録ヘッド２４２に係るインク吐出量の平均値を算出する。そして、各記録ヘッド２４２に係るインク吐出量の平均値と、インク吐出量及び電圧補正値の関係を示す近似式とに基づいて、各記録ヘッド２４２に係るインク吐出量の平均値が基準値Ｄ０に一致するように、各記録ヘッド２４２に係る電圧補正値を設定して記憶部４４に記憶させる。
【０１１２】
なお、各記録ヘッド２４２のノズル群においてインク吐出量にばらつきがなく、各ノズル群のノズル列方向の両端部においてインク吐出量が一致することが予め判明している場合は、ステップＳ２５の処理の終了後、第１の濃度補正動作の処理を終了させてもよい。また、各ノズル群においてインク吐出量にばらつきがあり、各ノズル群のノズル列方向の両端部においてインク吐出量が一致しないことが予め判明している場合には、ステップＳ２５の処理を省略してもよい。
【０１１３】
次に、ＣＰＵ４１は、ノズル群の繋ぎ目における各ノズル群のインク吐出量の代表値の差分が０となるように、各記録ヘッド２４２に係る電圧補正値を更新する（ステップＳ２６）。具体的には、ＣＰＵ４１は、ステップＳ２５において設定された電圧補正値に基づいて、インク液滴が吐出される場合の各記録ヘッド２４２のノズル群の両端部におけるインク吐出量と、この場合におけるノズル群の繋ぎ目におけるインク吐出量の差分とを算出する。そして、ＣＰＵ４１は、当該差分が０となるように各記録ヘッド２４２に係る電圧補正値を順に変更して記憶部４４に記憶させる。
【０１１４】
次に、ＣＰＵ４１は、全ての記録ヘッド２４２に係るインク吐出量の全体の平均値が基準値Ｄ０となるように、各記録ヘッド２４２に係る電圧補正値を更新する（ステップＳ２７）。具体的には、ＣＰＵ４１は、ステップＳ２６において設定された電圧補正値に基づいて、インク液滴が吐出される場合の全ての記録ヘッド２４２に係るインク吐出量全体の平均値を算出する。そして、ＣＰＵ４１は、当該平均値が基準値Ｄ０と一致するように、即ち当該平均値と基準値Ｄ０との差分に相当する量だけ各記録ヘッド２４２に係るインク吐出量がシフトするように、各記録ヘッド２４２に係る電圧補正値を設定して記憶部４４に記憶させる。
【０１１５】
以上により、第１の濃度補正動作、即ちテストチャートを読み取って得た複数の記録ヘッド２４２の濃度情報を基に、複数の記録ヘッド２４２のそれぞれの駆動条件を算出し、当該駆動条件を複数の記録ヘッド２４２に設定するための一連の処理が終了する。この第１の濃度補正動作により、記録用紙Ｐに形成した画像の濃度が全体的に同じになるように補正が行われる訳であるが、濃度が全体的に同じであっても、ドット率が高くなると、記録用紙Ｐの搬送方向とそれに直交するノズル列方向の光沢感に乖離が見られる。すなわち、第１の濃度補正動作によって濃度値としては一定に補正できても、記録ヘッド２４２ごとに光沢感が異なる画像形成が行われる。
【０１１６】
そこで、記録ヘッド２４２ごとに光沢感が異なることに伴う画質低下を抑えるために、第１の濃度補正動作の終了後に、第２の濃度補正動作に移行する。すなわち、第１の濃度補正動作によって濃度が全体的に同じになるように補正を行った後に、第２の濃度補正動作によって光沢ムラの補正を行う。
【０１１７】
（第２の濃度補正動作）
続いて、記録ヘッド２４２のノズル２４４から吐出されるインク液滴の吐出量を調整する第２の濃度補正動作の処理の流れについて説明する。図１０は、第２の濃度補正動作の処理の流れを示すフローチャートである。第２の濃度補正動作の処理は、第１の濃度補正動作の処理の場合と同様に、制御部４０を構成するＣＰＵ４１（図３参照）による制御の下に実行される。
【０１１８】
第１の濃度補正動作が終了すると、ＣＰＵ４１は、ヘッドユニット２４を制御することにより、濃度測定用のテストチャートを記録用紙Ｐに印画する（ステップＳ３１）。この第２の濃度補正動作の際に印画する濃度測定用のテストチャートは、第１の濃度補正動作の際に印画した濃度測定用のテストチャートと同じものであってもよいし、異なるテストチャートであってもよい。
【０１１９】
次に、ＣＰＵ４１は、画像読取部２６を制御することにより、記録用紙Ｐに印画されたテストチャートの濃度を読み取ってノズル列方向の濃度データを取得し（ステップＳ３２）、次いで、画像読取部２６の測定濃度位置ごとの濃度データに基づいて、濃度ムラ補正値を算出する（ステップＳ３３）。
【０１２０】
濃度ムラ補正値については、例えば、画像読取部２６の画素位置（測定濃度位置）とノズル位置との対応関係を示す解像度変換曲線を用いて算出することができる。具体的には、解像度変換曲線に基づいて、測定濃度位置ごとの測定濃度値を、ノズル位置ごとの濃度データに変換し、当該濃度データと目標濃度値との差分を算出する。そして、画素値と濃度値との対応関係を示す曲線を基に、濃度データと目標濃度値との差分を画素値の差分に変換する。この画素値の差分が濃度ムラ補正値となる。
【０１２１】
次に、ＣＰＵ４１は、ステップＳ３３で算出した濃度ムラ補正値に基づいて画像データ（印画データ）を補正し（ステップＳ３４）、次いで、補正した画像データに基づいて、記録用紙Ｐ上に画像を形成する（ステップＳ３５）。
【０１２２】
上述したように、第１の濃度補正動作により、記録ヘッド２４２の駆動条件を変えることによってドット径を調整して、記録用紙Ｐに形成した画像の濃度が全体的に同じになるように補正を行った後に、第２の濃度補正動作により、画像データを補正することによってドット率を調整する。これにより、記録ヘッド２４２ごとに光沢感が異なる光沢ムラを改善できるため、記録用紙Ｐに形成した画像の高画質化と自然な光沢感の両立を図ることができる。
【０１２３】
＜変形例＞
以上、本発明について実施形態を用いて説明したが、本発明は上記実施形態に記載の範囲には限定されない。すなわち、本発明の要旨を逸脱しない範囲内で上記実施形態に多様な変更または改良を加えることができ、そのような変更または改良を加えた形態も本発明の技術的範囲に含まれる。
【０１２４】
例えば、上記実施形態では、記録媒体として用紙を用いた例について説明したが、これに限定されるものではなく、記録媒体としては、例えば、布帛、プラスチックフィルム、ガラス板等その他各種の記録媒体を用いることができる。
【０１２５】
また、上記実施形態では、記録媒体の搬送に画像形成ドラム２１を用いたドラム式のインクジェット記録装置を例に挙げて説明したが、これに限定されるものではなく、本発明は、無端状の搬送ベルトを用いたベルト式のインクジェット記録装置にも適用することができる。
【符号の説明】
【０１２６】
１…インクジェット記録装置、  ２…外部装置、  １０…給紙部、  ２０…画像形成部、  ２１…画像形成ドラム、  ２３…加熱部、  ２４…ヘッドユニット、  ２５…定着部、  ２６…画像読取部、  ２７…用紙排出部、  ２８…用紙反転部、  ３０…排紙部、  ４０…制御部、  ４１…ＣＰＵ、  ４２…ＲＡＭ、  ４３…ＲＯＭ、  ４４…記憶部、  ５１…搬送駆動部、  ５２…操作表示部、  ５３…入出力インターフェース、  ５４…システムバス、  ２４２…記録ヘッド、  ２４４…ノズル、  ４０１…第１の濃度補正部、  ４０２…第２の濃度補正部、  Ｐ…用紙（記録媒体）
【図１】
2019081344.tif 000003
【図２】
2019081344.tif 000004
【図３】
2019081344.tif 000005
【図４】
2019081344.tif 000006
【図５】
2019081344.tif 000007
【図６】
2019081344.tif 000008
【図７】
2019081344.tif 000009
【図８】
2019081344.tif 000010
【図９】
2019081344.tif 000011
【図１０】
2019081344.tif 000012